(57)【要約】【課題】回折格子に係る干渉縞を用いてホログラム画像が描画されているホログラムシートに付いている傷等を確実に検査することが可能な検査画像を形成する検査画像形成装置等を提供する。【解決手段】回折格子に係る干渉縞の発生により視認可能となるホログラム画像が描画されているホログラムシートの傷、及び／又は、前記ホログラム画像の欠け若しくは抜けを検査するための検査画像を形成する検査画像形成装置において、前記ホログラムシートに光を照射する照射手段と、前記光の前記ホログラムシートからの反射光を受光する受光手段と、前記受光手段以外の部分に配置された暗色シートと、前記受光された反射光に基づき、前記光が照射された前記ホログラム画像を構成する部分に相当する検査画像を形成する検査画像形成手段と、を有し、前記受光手段は、前記光の前記ホログラムシートからの反射光を斜方から受光することを特徴とする。【選択図】図１
2008275563.tif 000002
【特許請求の範囲】
【請求項１】
回折格子に係る干渉縞の発生により視認可能となるホログラム画像が描画されているホログラムシートの傷、及び／又は、前記ホログラム画像の欠け若しくは抜けを検査するための検査画像を形成する検査画像形成装置において、
前記ホログラムシートに光を照射する照射手段と、
前記光の前記ホログラムシートからの反射光を受光する受光手段と、
前記受光手段以外の部分に配置された暗色シートと、
前記受光された反射光に基づき、前記光が照射された前記ホログラム画像を構成する部分に相当する検査画像を形成する検査画像形成手段と、
を有し、
前記受光手段は、前記光の前記ホログラムシートからの反射光を斜方から受光することを特徴とする検査画像形成装置。
【請求項２】
請求項１に記載の検査画像形成装置において、
前記暗色シートは、前記受光手段が反射光を受光するホログラムシートに前記暗色シートが写り込む位置に配置されることを特徴とする検査画像形成装置。
【請求項３】
請求項２に記載の検査画像形成装置において、
前記暗色シートは、前記検査画像形成手段により形成された検査画像のうちの前記ホログラム画像、又は前記ホログラムシートの傷の色よりも、前記検査画像形成手段により形成された検査画像のうちの前記暗色シートが写り込んだ前記ホログラムシートの色が暗くなるような色であることを特徴とする検査画像形成装置。
【請求項４】
請求項１乃至請求項３のいずれか一項に記載の検査画像形成装置において、
前記暗色シートは、黒色であることを特徴とする検査画像形成装置。
【請求項５】
請求項１乃至請求項４のいずれか一項に記載の検査画像形成装置において、
前記光は、拡散光であることを特徴とする検査画像形成装置。
【請求項６】
請求項１乃至請求項５のいずれか一項に記載の検査画像形成装置を含む検査装置であって、前記ホログラムシートの傷、及び／又は、前記ホログラム画像の欠け若しくは抜けを検査する検査装置において、
前記照射手段は、前記検査画像を検査するために用いられる基準画像を取得するための基準ホログラムシートに光を照射し、
前記受光手段は、前記受光手段以外の部分に前記暗色シートが配置された状態で、前記光の前記基準ホログラムシートからの反射光を斜方から受光し、
前記受光された反射光に基づき、前記光が照射された前記ホログラム画像を構成する部分に相当する基準画像を形成する基準画像形成手段と、
前記基準画像形成手段により形成された基準画像と、前記検査画像形成手段により形成された検査画像と、を比較する比較手段と、
を更に有することを特徴とする検査装置。
【請求項７】
回折格子に係る干渉縞の発生により視認可能となるホログラム画像が描画されているホログラムシートの傷、及び／又は、前記ホログラム画像の欠け若しくは抜けを検査するための検査画像を形成する検査画像形成方法において、
前記ホログラムシートに光を照射する照射工程と、
前記光の前記ホログラムシートからの反射光を受光する受光手段以外の部分に暗色シートを配置する暗色シート配置工程と、
前記受光手段により前記光の前記ホログラムシートからの反射光を斜方から受光する受光工程と、
前記受光された反射光に基づき、前記光が照射された前記ホログラム画像を構成する部分に相当する検査画像を形成する検査画像形成工程と、
を有することを特徴とする検査画像形成方法。
【請求項８】
請求項７に記載の検査画像形成方法を含む検査方法であって、前記ホログラムシートの傷、及び／又は、前記ホログラム画像の欠け若しくは抜けを検査する検査方法において、
前記照射工程は、前記検査画像を検査するために用いられる基準画像を取得するための基準ホログラムシートに光を照射し、
前記受光工程は、前記受光手段以外の部分に暗色シートが配置された状態で、前記光の前記基準ホログラムシートからの反射光を斜方から受光し、
前記受光された反射光に基づき、前記光が照射された前記ホログラム画像を構成する部分に相当する基準画像を形成する基準画像形成工程と、
前記基準画像形成工程により形成された基準画像と、前記検査画像形成工程により形成された検査画像と、を比較する比較工程と、
を更に有することを特徴とする検査方法。
【発明の詳細な説明】
【技術分野】
【０００１】
本発明は、検査画像形成装置、検査装置、検査画像形成方法、及び検査方法の技術分野に属し、より詳細には、例えばクレジットカード等の表面に配置されているホログラムシートについたスクラッチ傷や、打痕等凹状傷などの傷、及び／又は、回折格子の欠けや抜けにより生じるホログラム像の欠けや抜けを検査するための検査画像を形成する検査画像形成装置等の技術分野に属する。
【背景技術】
【０００２】
近年、例えばクレジットカードの認証用（すなわち、そのクレジットカードが本物か否かの認証用）又は当該クレジットカードにおける外観上の意匠的効果を得ることを目的として、当該クレジットカードの例えば表面に、回折格子に係る干渉縞の発生により視認可能となるホログラム画像が描写されているホログラムシートを設けた場合がある。
【０００３】
ここで、当該回折格子は、一般にはホログラムと称されるものである。また、上記回折格子を用いたホログラム画像は、当該回折格子により可視光が回折されて反射されることにより発生する干渉縞を用いて視認可能となるように、当該回折格子における格子間隔を変えることにより描画されたものである。
【０００４】
このとき、当該干渉縞の発生によりホログラム画像が視認可能となることから、描画されている当該ホログラム画像の見え方が、例えば見る角度によって変わってくることとなり、これにより上記意匠的効果を発生させる。更に、当該ホログラム画像が微小な格子間隔を有するものであり、当該ホログラム画像自体を偽造することが困難であることから、上記認証用にも用いられるものである。
【０００５】
一方、上記ホログラムシートが配置された後であって、実際のクレジットカードとしてのカード情報等が登録される前のカード自体（以下、当該カード自体を単にプラスチックカードと称する）を製造する場合には、その製造後の出荷前において、当該プラスチックカード自体の検査と併せて、上記ホログラムシートの表面の品質（具体的には、例えば傷や汚れの有無及び傷又は汚れがある場合におけるその程度等）を検査する必要がある。
【０００６】
このとき、当該ホログラムシート表面の品質検査方法としては、従来は、例えば下記各特許文献に開示されているように、主として可視光をホログラムシートに照射して得られる反射光に基づいてホログラムシートの画像を形成し、その後二値化等の手法を用いることにより傷や汚れ等を抽出して検査されていた。
【特許文献１】特開２００４−１４４５６５公報（第１図等）
【特許文献２】特開２００４−１５０８８５公報（第１図等）
【特許文献３】特開２００４−２３９８３４公報（第１図等）
【発明の開示】
【発明が解決しようとする課題】
【０００７】
しかしながら、上記のように可視光をホログラムシートに照射して得られる反射光に基づいて形成されたホログラムシートの画像においては、ホログラム画像と、傷と、ホログラム画像以外の部分が写っており、当該画像を用いて傷等を確実に検査することが困難な場合があった。
【０００８】
そこで、本発明は上記の問題点に鑑みて為されたもので、その課題は、回折格子に係る干渉縞を用いてホログラム画像が描画されているホログラムシートに付いている傷等を確実に検査することが可能な検査画像を形成する検査画像形成装置等を提供することにある。
【課題を解決するための手段】
【０００９】
上記の課題を解決するために、請求項１に記載の発明は、回折格子に係る干渉縞の発生により視認可能となるホログラム画像が描画されているホログラムシートの傷、及び／又は、前記ホログラム画像の欠け若しくは抜けを検査するための検査画像を形成する検査画像形成装置において、前記ホログラムシートに光を照射する照射手段と、前記光の前記ホログラムシートからの反射光を受光する受光手段と、前記受光手段以外の部分に配置された暗色シートと、前記受光された反射光に基づき、前記光が照射された前記ホログラム画像を構成する部分に相当する検査画像を形成する検査画像形成手段と、を有し、前記受光手段は、前記光の前記ホログラムシートからの反射光を斜方から受光することを特徴とする。
【００１０】
これによれば、受光手段以外の部分に暗色シートを配置することにより、回折格子に係る干渉縞の発生により視認可能となるホログラム画像の色とホログラムシートの傷の色に対して、それ以外の部分の色とに、明確な差を生じさせることができるため、ホログラムシートの傷が検査画像上において認識しやすい検査画像を形成することができる。また、回折格子に係る干渉縞の発生により視認可能となるホログラム画像も鮮明に検査画像に反映させることができるため、ホログラム画像の欠け若しくは抜けが検査画像上において認識しやすい検査画像を形成することができる。
【００１１】
更に、受光手段により光のホログラムシートからの反射光を斜方から受光することにより、受光手段がホログラムシートに写り込むことを防止し、検査画像を正確に形成することができる。
【００１２】
上記の課題を解決するために、請求項２に記載の発明は、請求項１に記載の検査画像形成装置において、前記暗色シートは、前記受光手段が反射光を受光するホログラムシートに前記暗色シートが写り込む位置に配置されることを特徴とする。
【００１３】
これによれば、暗色シートは、ホログラムシートに暗色シートが写り込む位置に配置されることによって、回折格子に係る干渉縞の発生により視認可能となるホログラム画像の色とホログラムシートの傷の色に対して、それ以外の部分の色とに、明確な差を生じさせることができるため、ホログラムシートの傷が検査画像上において認識しやすい検査画像を形成することができる。また、回折格子に係る干渉縞の発生により視認可能となるホログラム画像も鮮明に検査画像に反映させることができるため、ホログラム画像の欠け若しくは抜けが検査画像上において認識しやすい検査画像を形成することができる。
【００１４】
上記の課題を解決するために、請求項３に記載の発明は、請求項２に記載の検査画像形成装置において、前記暗色シートは、前記検査画像形成手段により形成された検査画像のうちの前記ホログラム画像、又は前記ホログラムシートの傷の色よりも、前記検査画像形成手段により形成された検査画像のうちの前記暗色シートが写り込んだ前記ホログラムシートの色が暗くなるような色であることを特徴とする。
【００１５】
これによれば、回折格子に係る干渉縞の発生により視認可能となるホログラム画像の色とホログラムシートの傷の色に対して、それ以外の部分の色とに、より明確な差を生じさせることができるため、ホログラムシートの傷が検査画像上において認識しやすい検査画像を形成することができる。また、回折格子に係る干渉縞の発生により視認可能となるホログラム画像も鮮明に検査画像に反映させることができるため、ホログラム画像の欠け若しくは抜けが検査画像上において認識しやすい検査画像を形成することができる。
【００１６】
上記の課題を解決するために、請求項４に記載の発明は、請求項１乃至請求項３のいずれか一項に記載の検査画像形成装置において、前記暗色シートは、黒色であることを特徴とする。
【００１７】
これによれば、暗色シートが回折格子が黒色であることによって、回折格子に係る干渉縞の発生により視認可能となるホログラム画像の色とホログラムシートの傷の色に対して、それ以外の部分の色とに、より明確な差を生じさせることができるため、ホログラムシートの傷が検査画像上において認識しやすい検査画像を形成することができる。また、回折格子に係る干渉縞の発生により視認可能となるホログラム画像も鮮明に検査画像に反映させることができるため、ホログラム画像の欠け若しくは抜けが検査画像上において認識しやすい検査画像を形成することができる。
【００１８】
上記の課題を解決するために、請求項５に記載の発明は、請求項１乃至請求項４のいずれか一項に記載の検査画像形成装置において、前記光は、拡散光であることを特徴とする。
【００１９】
これによれば、ホログラムシートに拡散光を照射することにより、ホログラムシートに対して多方面から光を照射することができるため、ホログラムシートの傷をより正確に反映した検査画像を形成することができる。また、回折格子に係る干渉縞の発生により視認可能となるホログラム画像も鮮明に検査画像に反映させることができるため、ホログラム画像の欠け若しくは抜けが検査画像上において認識しやすい検査画像を形成することができる。
【００２０】
上記の課題を解決するために、請求項６に記載の発明は、請求項１乃至請求項５のいずれか一項に記載の検査画像形成装置を含む検査装置であって、前記ホログラムシートの傷、及び／又は、前記ホログラム画像の欠け若しくは抜けを検査する検査装置において、前記照射手段は、前記検査画像を検査するために用いられる基準画像を取得するための基準ホログラムシートに光を照射し、前記受光手段は、前記受光手段以外の部分に前記暗色シートが配置された状態で、前記光の前記基準ホログラムシートからの反射光を斜方から受光し、前記受光された反射光に基づき、前記光が照射された前記ホログラム画像を構成する部分に相当する基準画像を形成する基準画像形成手段と、前記基準画像形成手段により形成された基準画像と、前記検査画像形成手段により形成された検査画像と、を比較する比較手段と、を更に有することを特徴とする。
【００２１】
これによれば、受光手段以外の部分に暗色シートが配置された状態で、光の基準ホログラムシートからの反射光を斜方から受光することにより、ホログラム画像の色に対して、それ以外の部分の色とに、明確な差を生じさせることができるため、ホログラム画像を鮮明に基準画像に反映させることができる。また、受光手段により拡散光の基準ホログラムシートからの反射光を斜方から受光することにより、受光手段がホログラムシートに写り込むことを防止し、基準画像を正確に形成することができる。よって、このように形成された基準画像と検査画像とを比較することにより、ホログラムシートの傷、及び／又は、ホログラム画像の欠け若しくは抜けを正確に検査することができる。
【００２２】
上記の課題を解決するために、請求項７に記載の発明は、回折格子に係る干渉縞の発生により視認可能となるホログラム画像が描画されているホログラムシートの傷、及び／又は、前記ホログラム画像の欠け若しくは抜けを検査するための検査画像を形成する検査画像形成方法において、前記ホログラムシートに光を照射する照射工程と、前記光の前記ホログラムシートからの反射光を受光する受光手段以外の部分に暗色シートを配置する暗色シート配置工程と、前記受光手段により前記光の前記ホログラムシートからの反射光を斜方から受光する受光工程と、前記受光された反射光に基づき、前記光が照射された前記ホログラム画像を構成する部分に相当する検査画像を形成する検査画像形成工程と、を有することを特徴とする。
【００２３】
これによれば、受光手段以外の部分に暗色シートを配置することにより、回折格子に係る干渉縞の発生により視認可能となるホログラム画像の色とホログラムシートの傷の色に対して、それ以外の部分の色とに、明確な差を生じさせることができるため、ホログラムシートの傷が検査画像上において認識しやすい検査画像を形成することができる。また、回折格子に係る干渉縞の発生により視認可能となるホログラム画像も鮮明に検査画像に反映させることができるため、ホログラム画像の欠け若しくは抜けが検査画像上において認識しやすい検査画像を形成することができる。
【００２４】
更に、受光手段により拡散光のホログラムシートからの反射光を斜方から受光することにより、受光手段がホログラムシートに写り込むことを防止し、検査画像を正確に形成することができる。
【００２５】
上記の課題を解決するために、請求項８に記載の発明は、請求項７に記載の検査画像形成装置を含む検査装置であって、前記ホログラムシートの傷、及び／又は、前記ホログラム画像の欠け若しくは抜けを検査する検査方法において、前記照射工程は、前記検査画像を検査するために用いられる基準画像を取得するための基準ホログラムシートに光を照射し、前記受光工程は、前記受光手段以外の部分に暗色シートが配置された状態で、前記光の前記基準ホログラムシートからの反射光を斜方から受光し、前記受光された反射光に基づき、前記光が照射された前記ホログラム画像を構成する部分に相当する基準画像を形成する基準画像形成工程と、前記基準画像形成工程により形成された基準画像と、前記検査画像形成工程により形成された検査画像と、を比較する比較工程と、を更に有することを特徴とする。
【００２６】
これによれば、受光手段以外の部分に暗色シートが配置された状態で、光の基準ホログラムシートからの反射光を斜方から受光することにより、ホログラム画像の色に対して、それ以外の部分の色とに、明確な差を生じさせることができるため、ホログラム画像を鮮明に基準画像に反映させることができる。また、受光手段により拡散光の基準ホログラムシートからの反射光を斜方から受光することにより、受光手段がホログラムシートに写り込むことを防止し、基準画像を正確に形成することができる。よって、このように形成された基準画像と検査画像とを比較することにより、ホログラムシートの傷、及び／又は、ホログラム画像の欠け若しくは抜けを正確に検査することができる。
【発明の効果】
【００２７】
本発明によれば、受光手段以外の部分に暗色シートを配置することにより、回折格子に係る干渉縞の発生により視認可能となるホログラム画像の色とホログラムシートの傷の色に対して、それ以外の部分の色とに、明確な差を生じさせることができるため、ホログラムシートの傷が検査画像上において認識しやすい検査画像を形成することができる。また、回折格子に係る干渉縞の発生により視認可能となるホログラム画像も鮮明に検査画像に反映させることができるため、ホログラム画像の欠け若しくは抜けが検査画像上において認識しやすい検査画像を形成することができる。
【００２８】
更に、受光手段により拡散光のホログラムシートからの反射光を斜方から受光することにより、受光手段がホログラムシートに写り込むことを防止し、検査画像を正確に形成することができる。
【発明を実施するための最良の形態】
【００２９】
本発明の検査画像形成装置を含む検査装置の実施形態について、図１乃至図１１を用いて説明する。なお、以下に説明する実施形態は、将来的にクレジットカードとなるプラスチックカード上に形成された回折格子に係る干渉縞の発生により視認可能となるホログラム画像が描画されているホログラムシートの表面に付いた傷等を検査する検査装置に対して本発明を適用した場合の実施の形態である。
【００３０】
［検査装置の概要］
図１は、実施形態に係る検査装置の概要構成を示す図であり、図２は、レリーフ型の回折格子が形成されたホログラムシートの平面図であり、図３は、図２におけるＡ―Ａ’断面の拡大図であり、図４は、図２におけるＢ―Ｂ’線上のホログラム画像、ホログラムシートの傷、及びホログラム画像以外の部分の輝度を示す図であり、図５は、画像処理部により形成された検査画像を示す図である。
【００３１】
図１に示すように、実施形態に係る検査装置１は、プラスチックカード２、ホログラムシート３、照射部４、カメラ５、暗色シート６により構成されている。
【００３２】
図１、２に示すように、プラスチックカード２は、実際の使用に当たっての登録前であるため、本来のクレジットカードとしてのカード番号等の刻印はされていないものの、その表面右側に上記ホログラムシート３が貼り付けられており、当該ホログラムシート３内には、拡散光４１が反射して回折することにより生じた干渉縞により視認可能となるホログラム画像１１が描画されている。なお、図２において、ホログラムシートの傷を１２、ホログラム画像の欠けを１４にて示している。ここで、ホログラム画像の欠けとは、ホログラム画像の一部分が描写されていないことをいう。ここで、ホログラム画像の抜けについては図示していないが、ホログラム画像の抜けとは、ホログラム画像が全部描写されていない、若しくはホログラム画像の描写がうすいものをいい、当該ホログラムの抜けをも本発明を用いることによって検査することができる。
【００３３】
ここで、当該ホログラム画像１１が描画可能なのは、図２におけるＡ−Ａ’断面の一部を図３に示すように、ホログラム画像１１を構成する格子Ｋの格子間隔Ｌ１、Ｌ２等を、絵柄に応じて変更しているためである。
【００３４】
図１に示すように、拡散光４１は、照射部４によりホログラムシート３に照射されるものである。拡散光４１を照射することによって、ホログラムシート３に対して様々な方向の光を照射することができるため、その後に、画像処理部（検査画像形成手段）（詳しくは後述する）によって、受光された反射光に基づき、拡散光が照射されたホログラム画像を構成する部分に相当する検査画像を形成する際に、ホログラムシートの傷を正確に反映した検査画像を形成することができる。また、更に、ホログラム画像も鮮明に検査画像に反映させることができるため、ホログラム画像の欠け若しくは抜けが検査画像上において認識しやすい検査画像を形成することができる。なお、本実施形態において、光を拡散光であるものとして説明しているが、ホログラム画像を繊細に写し、ホログラムシートの傷を可視化できるものであれば、拡散光に限定されることはなく、例えば、同軸落射光や平行光等であってもよい。ここで、同軸落射光とは、光をハーフミラーで反射してカメラ光軸方向からホログラムシートに光を当て、その反射光をハーフミラーを透過させてカメラにより受光させる光のことをいう。
【００３５】
カメラ５は、拡散光４１のホログラムシートからの反射光を受光する部分である（詳しくは後述する）。
【００３６】
暗色シート６は、画像処理部により形成された検査画像のうちのホログラム画像、又はホログラムシートの傷の色よりも、画像処理部により形成された検査画像のうちの暗色シートが写り込んだホログラムシートの色が暗くなるような色である。
【００３７】
具体的には、図４に示すように、拡散光を照射した場合に、検査画像のうちのホログラム画像の輝度と、ホログラムシートの傷の輝度は高いため、ホログラム画像以外の部分に暗い色の暗色シートを写り込ませることにより（暗色シートありの場合参照）、暗色シートなしの場合と比較して、検査画像のうちのホログラム画像の輝度と、ホログラムシートの傷の輝度に対して、それ以外の部分の輝度に明確な差を生じさせることができる。よって、ホログラムシートの傷が検査画像上において認識しやすい検査画像を形成することができる。また、ホログラム画像も鮮明に検査画像に反映させることができるため、ホログラム画像の欠け若しくは抜けが検査画像上において認識しやすい検査画像を形成することができる。
【００３８】
ここで、暗色シートは、特に、黒色であることが好ましい。上記のような効果を最大限生じさせるためには、暗色シートは、より暗い色（輝度の低い）ものであることが好ましいためである。
【００３９】
このような暗色シートを用いることによって得られた検査画像は、図５に示すように、検査画像２０のうちのホログラム画像以外の部分２３に暗色シートが写り込んだ色になっているため、検査画像２０のうちのホログラム画像が示す部分２１の色（輝度）と検査画像２０のうちのホログラムシートの傷を示す部分２２の色（輝度）に対して、検査画像２０のうちのホログラム画像以外の部分２３の色（輝度）とに、より明確な差を生じさせることができるため、検査画像２０のうちのホログラムシートの傷を示す部分２２が検査画像上において認識しやすい検査画像を形成することができる。また、検査画像２０のうちのホログラム画像が示す部分２１も鮮明に検査画像に反映させることができるため、ホログラム画像の欠け２４、若しくは抜けが検査画像上において認識しやすい検査画像を形成することができる。
【００４０】
［検査装置の構成及び機能］
次に、上述した構成を備える検査装置の細部構成及び細部動作を図６を用いて説明する。なお、図６は、実施形態に係る検査装置の細部構成を示すブロック図である。
【００４１】
図６に示すように、実施形態に係る検査装置１は、照射手段としての照射部４と、受光手段としてのカメラ５と、検査画像形成手段、基準画像形成手段としての画像処理部３１と、ディスプレイ３２と、比較手段としての検査部３３と、制御部３４と、操作部３５と、により構成されている。
【００４２】
照射部４は、ホログラムシートが貼り付けられているプラスチックカード（又は、ホログラムシート）に対して、制御部３４からの制御信号により示されるタイミング及び強度にて、拡散光を連続的に又は断続的に照射する。
【００４３】
カメラ５は、拡散光のホログラムシートからの反射光を受光する受光手段として機能する部分であり、拡散光のホログラムシートからの反射光を受光し、当該受光した画像に対応する画像信号を生成して画像処理部３１に出力する。
【００４４】
画像処理部３１は、受光された反射光に基づき、拡散光が照射されたホログラム画像を構成する部分に相当する検査画像を形成する検査画像形成手段として機能する部分であり、制御部３からの制御信号に基づき、表示信号を生成してディスプレイ３２に出力し、ディスプレイ３２は、当該表示信号に基づき、検査画像を視認可能に表示する。
【００４５】
検査部３３は、画像処理部３３により形成された検査画像と基準画像とを比較する比較手段として機能する部分であり、ホログラムシートの傷、及び／又は、前記ホログラム画像の欠け若しくは抜けを検査する。
【００４６】
制御部３４は、操作部３５において操作者により実行された指示操作に対応して当該操作部３５から出力されてくる操作信号に基づき、照射部４及び画像処理部３１を制御して上記動作を実行させるべく、上記制御信号を生成して夫々照射部４及び画像処理部３１に出力する。
【００４７】
［検査処理］
次に、上述した細部構成を備える検査装置において実行される検査処理について図７乃至図１１を用いて説明する。
【００４８】
なお、図７は、検査処理を示すフローチャートであり、図８は、暗色シートの配置位置について説明する図であり、図９は、暗色シートを一部分に配置する場合について説明する図であり、図１０は、カメラの受光位置を説明する図であり、図１１は、基準画像と検査画像を比較する場合について説明する図であり、（ａ）は、基準画像を示す図であり、（ｂ）は、検査画像を示す図であり、（ｃ）は、基準画像と検査画像を比較した結果を示す図である。
【００４９】
まず、ホログラムシートに拡散光を照射し（照射工程）（ステップＳ１１）、次に、カメラ（のレンズ）以外の部分に暗色シートを配置する（暗色シート配置工程）（ステップＳ１２）。
【００５０】
図８に示すように、カメラ５（のレンズ）以外の部分に暗色シート６を配置する。例えば、図示するように、プラスチックカード２よりも大きい範囲に暗色シート６を配置してもよい。
【００５１】
なお、暗色シート６は、ホログラムシート３に暗色シート６が写り込む位置に配置されてもよい。具体的には、図９に示すように、カメラ５によって拡散光のホログラムシート３からの反射光を斜方から受光する際に、ホログラムシート３において暗色シート６が写り込んで受光されればよいため、図８に示すように、クレジットカード２よりも大きい範囲を暗色シートによって覆わなくても、図９に示すように、一部分に暗色シートを配置してもよい。
【００５２】
次に、カメラにより拡散光のホログラムシートからの反射光を斜方から受光する（反射光受光工程）（ステップＳ１３）。
【００５３】
図１０に示すように、カメラ５よりホログラムシート３からの反射光を斜方、つまり、ホログラムシート３を直上以外から写すことによって、カメラ５が反射光を受光する際に、カメラ５自体がホログラムシートに写り込むのを防止することができるため、検査画像を正確に形成することができる。
【００５４】
次に、受光された反射光に基づき、拡散光が照射されたホログラム画像を構成する部分に相当する検査画像を形成する（検査画像形成工程）（ステップＳ１４）。
【００５５】
具体的には、上述したように図５に示したような検査画像が形成される。
【００５６】
次に、基準画像を取得するための基準ホログラムシートに光を照射し（ステップＳ１５）、カメラ（のレンズ）以外の部分に暗色シートが配置された状態で、光の基準ホログラムシートからの反射光を斜方から受光する（ステップＳ１６）。
【００５７】
ここで、基準ホログラムシートとは、目視検査等により、ホログラムシートに傷、及び／又は、ホログラム画像に欠け若しくは抜けがないと判定されたホログラムシートである。
検査画像を形成した場合と同様に、カメラ（のレンズ）以外の部分に暗色シートが配置された状態で、光の基準ホログラムシートからの反射光を斜方から受光することにより、ホログラム画像の色に対して、それ以外の部分の色とに、明確な差を生じさせることができるため、ホログラム画像を鮮明に基準画像に反映させることができる。また、カメラにより拡散光の基準ホログラムシートからの反射光を斜方から受光することにより、カメラがホログラムシートに写り込むことを防止し、基準画像を正確に形成することができる。
【００５８】
次に、受光された反射光に基づき、光が照射されたホログラム画像を構成する部分に相当する基準画像を形成する（基準画像形成工程）（ステップＳ１７）。
【００５９】
具体的には、図１１（ａ）に示すように、基準画像５０のうちのホログラム画像以外の部分５２に暗色シートが写り込んだ色になっているため、基準画像５０のうちのホログラム画像が示す部分５１の色（輝度）に対して、基準画像５０のうちのホログラム画像以外の部分５２の色（輝度）とに、より明確な差を生じさせることができるため、基準画像５０のうちのホログラム画像が示す部分５１を鮮明に基準画像に反映させることができる。
【００６０】
次に、画像処理部により形成された検査画像と基準画像とを比較する（比較工程）（ステップＳ１８）。
【００６１】
具体的には、基準画像（図１１（ａ）参照）と、検査画像（図１１（ｂ）参照）とを比較することにより、ホログラムシートの傷６１、及び／又は、ホログラム画像の欠け６２、若しくは抜けを正確に検査することができる（図１１（ｃ）参照）。
【００６２】
以上説明したように、実施形態に係る検査装置の動作によれば、カメラ（のレンズ）以外の部分に暗色シートを配置することにより、ホログラム画像の色とホログラムシートの傷の色に対して、それ以外の部分の色とに、明確な差を生じさせることができるため、ホログラムシートの傷が検査画像上において認識しやすい検査画像を形成することができる。また、ホログラム画像も鮮明に検査画像に反映させることができるため、ホログラム画像の欠け若しくは抜けが検査画像上において認識しやすい検査画像を形成することができる。
【００６３】
更に、カメラにより拡散光のホログラムシートからの反射光を斜方から受光することにより、カメラがホログラムシートに写り込むことを防止し、検査画像を正確に形成することができる。
【００６４】
また、ホログラムに拡散光を照射することにより、ホログラムに対して多方面から光を照射することができるため、ホログラムの傷を正確に反映した検査画像を形成することができ、更に、ホログラム画像も鮮明に検査画像に反映させることができるため、ホログラム画像の欠け若しくは抜けが検査画像上において認識しやすい検査画像を形成することができる。
【００６５】
また、カメラ（のレンズ）以外の部分に暗色シートが配置された状態で、光の基準ホログラムシートからの反射光を斜方から受光することにより、ホログラム画像の色に対して、それ以外の部分の色とに、明確な差を生じさせることができるため、ホログラム画像を鮮明に基準画像に反映させることができる。また、カメラにより拡散光のホログラムシートからの反射光を斜方から受光することにより、カメラがホログラムシートに写り込むことを防止し、基準画像を正確に形成することができる。よって、このように形成された基準画像と検査画像とを比較することにより、ホログラムシートの傷、及び／又は、ホログラム画像の欠け若しくは抜けを正確に検査することができる。
【００６６】
なお、上述した実施形態においては、回折格子としていわゆるレリーフ型の回折格子を用いる場合について説明したが、これ以外に、同様に回折格子により発生する干渉縞を用いてホログラム画像を視認可能とするものであれば、いわゆる体積型の回折格子を実施形態に係る回折格子として用い、それにおける傷等の検査を実施形態に係る検査装置を用いて行うことも可能である。
【図面の簡単な説明】
【００６７】
【図１】実施形態に係る検査装置の概要構成を示す図である。
【図２】レリーフ型の回折格子が形成されたホログラムシートの平面図である。
【図３】図２におけるＡ―Ａ’断面の拡大図である。
【図４】ホログラム画像、ホログラムシートの傷、及びホログラム画像以外の部分の輝度を示す図である。
【図５】画像処理部により形成された検査画像を示す図である。
【図６】実施形態に係る検査装置の細部構成を示すブロック図である。
【図７】実施形態に係る検査処理を示すフローチャートである。
【図８】暗色シートの配置位置について説明する図である。
【図９】暗色シートを一部分に配置する場合について説明する図である。
【図１０】カメラの受光位置を説明する図である。
【図１１】基準画像と検査画像を比較する場合について説明する図であり、（ａ）は、基準画像を示す図であり、（ｂ）は、検査画像を示す図であり、（ｃ）は、基準画像と検査画像を比較した結果を示す図である。
【符号の説明】
【００６８】
１    検査装置
２    プラスチックカード
３    ホログラムシート
４    照射部
５    カメラ
６    暗色シート
１１    ホログラム画像
１２  ６１    ホログラムシートの傷
１３    ホログラム画像以外の部分
１４  ６２    ホログラム画像の欠け
２０    検査画像
２１    検査画像のうちのホログラム画像が示す部分
２２    検査画像のうちのホログラムシートの傷を示す部分
２３    検査画像のうちのホログラム画像以外の部分
２４    検査画像のうちのホログラム画像欠けを示す部分
３１    画像処理部
３２    ディスプレイ
３３    検査部
３４    制御部
３５    操作部
４１    拡散光
５０    基準画像
５１    基準画像のうちのホログラム画像が示す部分
５２    基準画像のうちのホログラム画像以外の部分
Ｋ    格子
Ｌ１、Ｌ２    格子間隔
【図２】
2008275563.tif 000003
【図３】
2008275563.tif 000004
【図４】
2008275563.tif 000005
【図５】
2008275563.tif 000006
【図６】
2008275563.tif 000007
【図７】
2008275563.tif 000008
【図８】
2008275563.tif 000009
【図１０】
2008275563.tif 000010
【図１１】
2008275563.tif 000011
【図１】
2008275563.tif 000012
【図９】
2008275563.tif 000013